(57)【特許請求の範囲】
【請求項１】
複数のユーザによって利用される車両に搭載された車載機（１００）と、複数の前記ユーザのうち、ドライバとしての役割を担う前記ユーザによって携帯され、前記車載機と対応付けられている車両用携帯機（２００）と、を含むユーザ識別システムであって、
前記車載機は、
前記車両用携帯機と通信する車載機側通信部（１０３、１０５）と、
前記車両に対する前記車両用携帯機の位置を特定するとともに、前記車両用携帯機が所定の識別エリアに存在するか否かを判定する携帯機位置特定部（Ｆ５）と、を備え
前記車両用携帯機は、
前記車載機と通信する第１通信部（２２０）と、
前記ユーザによって携帯される携帯端末と近距離無線通信を実施するための構成であって、通信範囲内に存在する複数の前記携帯端末と通信可能に構成されている第２通信部（２３０）と、
前記第２通信部が前記携帯端末から受信する信号の受信信号強度を検出する受信信号強度検出部（２３３）と、
前記受信信号強度検出部が検出する受信信号強度に基づいて、ドライバとしての役割を担う前記ユーザによって携帯されている前記携帯端末であるドライバ端末を決定するドライバ端末決定部（Ｇ４）と、を備え、
前記車載機側通信部は、前記携帯機位置特定部によって前記車両用携帯機が前記識別エリアに存在すると判定されたことに基づいて、前記車両用携帯機に対して、前記ドライバ端末を決定するための処理を実行するように指示する指示信号を送信し、
前記第１通信部は、前記車載機から送信された前記指示信号を受信し、
前記ドライバ端末決定部は、前記第１通信部が前記指示信号を受信した時点を基準として定まる時間帯において前記受信信号強度検出部が検出した受信信号強度に基づいて、前記ドライバ端末を決定するものであって、
車室外において運転席用ドアのドアハンドルから一定距離以内となるエリア、及び車室内において運転席を基準とする一定範囲の少なくとも何れか一方が前記識別エリアに設定されていることを特徴とするユーザ識別システム。
【請求項２】
請求項１において、
前記車両用携帯機は、前記車両用携帯機の周辺に存在する前記携帯端末を、前記携帯端末から送信される信号に含まれている、前記携帯端末毎に固有の識別コードによって識別し、
前記ドライバ端末決定部は、前記指示信号を受信した時点において前記車両用携帯機の周辺に複数の前記携帯端末が存在している場合には、それら複数の前記携帯端末のうち、前記時間帯において受信信号強度が最も高い信号を送信している前記携帯端末を前記ドライバ端末に決定することを特徴とするユーザ識別システム。
【請求項３】
請求項１又は２において、
前記車両用携帯機は、前記車両用携帯機の周辺に存在する前記携帯端末を、前記携帯端末から送信される信号に含まれている、前記携帯端末毎に固有の識別コードによって識別し、
前記指示信号を受信した時点において前記車両用携帯機の周辺に複数の前記携帯端末が存在している場合、前記受信信号強度検出部は、それぞれの前記携帯端末からの信号の受信信号強度を前記時間帯において複数回検出し、前記ドライバ端末決定部は、その複数回検出した受信信号強度に基づいて、複数の前記携帯端末のうちの１つを、前記ドライバ端末に決定することを特徴とするユーザ識別システム。
【請求項４】
請求項１から３の何れか１項において、
前記車載機は、前記車両の状態を示す車両情報を取得する車両情報取得部（Ｆ３）を備え、
前記車載機側通信部は、
前記携帯機位置特定部によって前記車両用携帯機が前記識別エリアに存在していると判定された場合に、前記車両情報取得部が取得する前記車両情報から、前記車両用携帯機にとって、ドライバとしての役割を担う前記ユーザに携帯される前記携帯端末から送信される信号の受信信号強度が、他の前記ユーザによって携帯される前記携帯端末から送信される信号の受信信号強度よりも高くなると想定される、予め定められた識別場面となっているか否かを判定し、
その判定の結果、前記識別場面となっていると判定した場合に、前記指示信号を送信することを特徴とするユーザ識別システム。
【請求項５】
請求項４において、
前記車載機が前記車両用携帯機からの信号を受信し始めてから前記車両が備えるエンジンが始動するまでの間に、複数の前記識別場面が設定されてあって、
前記車載機側通信部は、前記車両情報取得部が取得する前記車両情報から、前記識別場面となっていると判定する毎に前記指示信号を送信し、
前記ドライバ端末決定部は、前記第１通信部が前記指示信号を受信する毎に、前記ドライバ端末を決定することを特徴とするユーザ識別システム。
【請求項６】
請求項１から５の何れか１項において、
前記車両用携帯機は、前記ユーザによって操作されるスイッチ（２４０）を備え、
前記ドライバ端末決定部は、前記スイッチが前記ユーザによって操作された時点を基準として定まる時間帯において前記受信信号強度検出部が検出した受信信号強度に基づいて、前記ドライバ端末を決定することを特徴とするユーザ識別システム。
【請求項７】
請求項６において
前記車両用携帯機は、測位用衛星から送信される電波に基づいて、前記車両用携帯機の現在位置を示す位置情報を取得する位置情報取得部（Ｇ６）を備え、
前記車両用携帯機は、前記第１通信部が前記車載機からの信号を受信した時点において前記位置情報取得部が取得している前記位置情報を、前記車両の駐車位置として記憶しておき、
前記受信信号強度検出部は、前記駐車位置と前記車両用携帯機との距離が所定の距離以上となった後、前記車両用携帯機と前記駐車位置との距離が所定の距離未満となった場合に、前記携帯端末からの信号の受信信号強度を検出し、
前記ドライバ端末決定部は、前記受信信号強度検出部が検出した受信信号強度に基づいて、前記ドライバ端末を特定することを特徴とするユーザ識別システム。
【請求項８】
請求項１から７の何れか１項において、
前記第１通信部は、前記ドライバ端末決定部が前記ドライバ端末を決定した場合には、そのドライバ端末に対応する情報であるドライバ端末関連情報を前記車載機に送信することを特徴とするユーザ識別システム。
【請求項９】
請求項８において、
前記車載機側通信部は、前記ドライバ端末関連情報を受信するものであって、
前記車載機は、前記車載機側通信部が受信した前記ドライバ端末関連情報に基づいて、前記ユーザのうち、ドライバとしての役割を担う前記ユーザを特定するドライバ特定部（Ｆ６）を備えることを特徴とするユーザ識別システム。
【請求項１０】
請求項８又は９において、
前記第１通信部は、前記車両用携帯機の周辺に存在する前記携帯端末のうち、前記ドライバ端末以外の前記携帯端末に対応する情報である非ドライバ端末関連情報を前記車載機に送信し、
前記車載機側通信部は、前記非ドライバ端末関連情報を受信するものであって、
前記車載機は、前記車載機側通信部が受信した前記非ドライバ端末関連情報に基づいて、前記ユーザのうち、今回の走行におけるドライバ以外の同乗者を特定することを特徴とするユーザ識別システム。
【請求項１１】
請求項８から１０の何れか１項において、
前記車両用携帯機は、
前記車両用携帯機の周辺に存在する前記携帯端末を、前記携帯端末から送信される信号に含まれている、前記携帯端末毎に固有の識別コードによって識別するものであって、
複数の前記ユーザのそれぞれが携帯する前記携帯端末の前記識別コードと、その携帯端末の前記ユーザとの対応関係を示すデータを記憶する携帯機側記憶部（２１１）を備え、
前記ドライバ端末決定部が前記ドライバ端末を決定した場合には、前記携帯機側記憶部が記憶している前記データを参照し、前記ドライバ端末の前記識別コードと対応付けられている前記ユーザを、ドライバとしての役割を担う前記ユーザに決定し、
前記第１通信部は、その決定したドライバとしての役割を担う前記ユーザについての情報を、前記ドライバ端末関連情報として前記車載機に送信することを特徴とするユーザ識別システム。
【請求項１２】
複数のユーザによって利用される車両に搭載された車載機と対応付けられている車両用携帯機（２００）であって、
前記車両用携帯機は、
前記車載機と通信する第１通信部（２２０）と、
前記ユーザによって携帯される携帯端末と近距離無線通信を実施するための構成であって、通信範囲内に存在する複数の前記携帯端末と通信可能に構成されている第２通信部（２３０）と、
前記第２通信部が前記携帯端末から受信する信号の受信信号強度を検出する受信信号強度検出部（２３３）と、
前記受信信号強度検出部が検出する受信信号強度に基づいて、ドライバとしての役割を担う前記ユーザによって携帯されている前記携帯端末であるドライバ端末を決定するドライバ端末決定部（Ｇ４）と、を備え、
前記第１通信部は、前記車両用携帯機が所定の識別エリアに存在する場合に前記車載機から送信される、前記ドライバ端末を決定するための処理を実行するように指示する指示信号を受信し、
前記ドライバ端末決定部は、前記第１通信部が前記指示信号を受信した時点を基準として定まる時間帯において前記受信信号強度検出部が検出した受信信号強度に基づいて、前記ドライバ端末を決定するものであって、
車室外において運転席用ドアのドアハンドルから一定距離以内となるエリア、及び車室内において運転席を基準とする一定範囲の少なくとも何れか一方が前記識別エリアに設定されていることを特徴とする車両用携帯機。
【発明の詳細な説明】
【技術分野】
【０００１】
本発明は、ドライバとしての役割を担うユーザを特定するユーザ識別システム及び車両用携帯機に関する。
【背景技術】
【０００２】
従来、車両に搭載された車載機と、ユーザによって携行され、車載機と対応付けられた車両用携帯機との無線通信による照合が成立したことに基づいて、車両のドアの施解錠やエンジン始動等の種々の制御を実行するシステムが知られている。
【０００３】
また、特許文献１には、上述したシステムを利用し、車両に搭乗しようとしているユーザを識別することで、座席位置などの車内環境を、予め設定されているユーザ独自の車内環境へと自動的に設定変更するシステム（ユーザ識別システムとする）が開示されている。
【０００４】
この特許文献１のユーザ識別システムでは、予めユーザの携帯端末（例えば携帯電話機）に、ユーザを特定する上で指標となるユーザ情報が登録されている。そして、ユーザが車両用携帯機と携帯端末の両方を身に付けた状態で車載機の無線通信エリアに進入した場合には、車両用携帯機が、人体通信によって携帯端末からユーザ情報を取得し、その取得したユーザ情報を車載機へ送信する。車載機は、車両用携帯機から受信したユーザ情報に基づいてユーザを特定し、車内環境をそのユーザの好みに応じた環境へと設定変更する。
【０００５】
なお、特許文献１には、変形例として、車両用携帯機と携帯端末との通信の態様として、通信可能距離が数ｃｍ程度の狭域通信を採用してもよい旨が開示されている。何れにしても、車両用携帯機と通信可能な位置に存在する携帯電話機が１つだけとなる態様が想定されている。
【先行技術文献】
【特許文献】
【０００６】
【特許文献１】特開２０１１−２６７６８号公報
【発明の概要】
【発明が解決しようとする課題】
【０００７】
特許文献１の構成によれば、ユーザは車両用携帯機と携帯端末の両方を携帯した状態で車載機の無線通信エリアに進入することで、自動的に車内環境をそのユーザの好みに応じた環境へと設定変更させることができる。
【０００８】
しかしながら、携帯端末及び車両用携帯機の両方が、必ずしも人体通信可能な状態で携帯されているとは限らない。また、通信可能距離が数ｃｍ程度の狭域通信によって携帯端末と車両用携帯機が通信する態様においても、例えば携帯端末及び車両用携帯機の何れか一方が鞄に収容され、かつ、他方がユーザの身につけられている場合には通信ができなくなってしまう。
【０００９】
そのような課題に対し、通信範囲が最大で数十メートル程度となるような、人体通信や狭域通信よりも相対的に通信範囲が広い近距離無線通信によって、車両用携帯機と携帯端末とが通信する構成も考えられる（第１想定構成とする）。しかしながら、車両用携帯機と携帯端末との通信態様として近距離無線通信を採用する場合、車両用携帯機は、ドライバが携帯する携帯端末の他に、ドライバ以外のユーザによって携帯される携帯端末を検出することが想定される。そのような場合、車両用携帯機にとっては、何れの携帯端末がドライバによって携帯されている携帯端末かが不明となる。
【００１０】
そこで、第２想定構成として、複数の携帯端末を検出した場合には、受信信号強度が最も高い信号を送信している携帯端末を、ドライバによって携帯されている携帯端末であると判定する構成も考えられる。これは、ドライバによって携帯されている携帯端末と車両用携帯機とは相対的に近い位置に存在するため、車両用携帯端末にとって、ドライバによって携帯されている携帯端末から送信された信号は、ドライバ以外のユーザによって携帯されている携帯端末から送信された信号よりも受信信号強度が高くなることが期待されるためである。
【００１１】
しかしながら、携帯端末から送信された信号の車両用携帯機における受信信号強度は、距離だけでなく、人体や周辺環境による電波の反射や減衰など種々の要素の影響を受けるため、受信信号強度が最も高い信号を送信している携帯端末が、必ずしもドライバによって携帯されている携帯端末であるとは限らない。
【００１２】
つまり、第２想定構成では、ドライバ以外のユーザによって携帯されている携帯端末を、ドライバによって携帯されている携帯端末であると誤判定してしまうことが懸念される。ドライバによって携帯されている携帯端末を誤判定してしまった場合には、車載機は、実際にはドライバではないユーザをドライバとして認識してしまう。
【００１３】
本発明は、この事情に基づいて成されたものであり、その目的とするところは、車両用携帯機の周辺に複数の携帯端末が存在する場合であっても、より精度よくドライバを特定できるユーザ識別システム、及び車両用携帯機を提供することにある。
【課題を解決するための手段】
【００１４】
その目的を達成するためのユーザ識別システムの発明は、複数のユーザによって利用される車両に搭載された車載機（１００）と、複数のユーザのうち、ドライバとしての役割を担うユーザによって携帯され、車載機と対応付けられている車両用携帯機（２００）と、を含むユーザ識別システムであって、車載機は、車両用携帯機と通信する車載機側通信部（１０３、１０５）と、車両に対する車両用携帯機の位置を特定するとともに、車両用携帯機が所定の識別エリアに存在するか否かを判定する携帯機位置特定部（Ｆ５）と、を備え、車両用携帯機は、車載機と通信する第１通信部（２２０）と、ユーザによって携帯される携帯端末と近距離無線通信を実施するための構成であって、通信範囲内に存在する複数の携帯端末と通信可能に構成されている第２通信部（２３０）と、携帯端末から受信する信号の受信信号強度を検出する受信信号強度検出部（２３３）と、受信信号強度検出部が検出する受信信号強度に基づいて、ドライバとしての役割を担うユーザによって携帯されている携帯端末であるドライバ端末を決定するドライバ端末決定部（Ｇ４）と、を備え、車載機側通信部は、携帯機位置特定部によって車両用携帯機が識別エリアに存在すると判定されたことに基づいて、車両用携帯機に対して、ドライバ端末を決定するための処理を実行するように指示する指示信号を送信し、第１通信部は、車載機から送信された指示信号を受信し、ドライバ端末決定部は、第１通信部が指示信号を受信した時点を基準として定まる時間帯において受信信号強度検出部が検出した受信信号強度に基づいて、ドライバ端末を決定するものであって、車室外において運転席用ドアのドアハンドルから一定距離以内となるエリア、及び車室内において運転席を基準とする一定範囲の少なくとも何れか一方が識別エリアに設定されていることを特徴とする。
【００１５】
以上の構成では、車載機は、携帯機位置特定部によって車両用携帯機が所定の識別エリアに存在すると判定されたことに基づいて、ドライバ端末を特定するように指示する指示信号を車両用携帯機に送信する。
【００１６】
車両用携帯機は、車載機からの指示信号を受信すると、その時点を基準として定まる時間帯において、受信信号強度検出部が検出した携帯端末から送信される信号の受信信号強度に基づいてドライバ端末を決定する。
【００１７】
ここで、ドライバ端末を決定する上で用いられる受信信号強度とは、車載機からの指示信号を受信した時点を基準として定まる時間帯において取得した受信信号強度である。また、車載機が指示信号を送信する場合とは、車両用携帯機が所定の識別エリアに存在する場合である。つまり、ドライバ端末を決定する上で用いられる受信信号強度とは、車両用携帯機が識別エリアに存在する場合に取得した受信信号強度である。
【００１８】
そして、上記構成において用いられる識別エリアとは、ドライバによって携帯される携帯端末からの受信信号強度が、ドライバ以外のユーザによって携帯される携帯端末からの受信信号強度よりも強くなる可能性が高いエリアである。
【００１９】
したがって、車両用携帯機が識別エリアに存在する状況において、受信信号強度が最も強い携帯端末とは、ドライバ端末である可能性が高い。つまり、上記構成によれば、ドライバ以外のユーザによって携帯されている携帯端末を、ドライバによって携帯されている携帯端末であると誤判定してしまう可能性を抑制することができる。言い換えれば、車両用携帯機の周辺に複数の携帯端末が存在する場合であってもより精度よく、ドライバによって携帯されている携帯端末を特定することができる。その結果、ドライバをより精度よく特定できるようになる。
【００２０】
また、上記目的を達成するための車両用携帯機の発明は、複数のユーザによって利用される車両に搭載された車載機と対応付けられている車両用携帯機（２００）であって、車両用携帯機は、車載機と通信する第１通信部（２２０）と、ユーザによって携帯される携帯端末と近距離無線通信を実施するための構成であって、通信範囲内に存在する複数の携帯端末と通信可能に構成されている第２通信部（２３０）と、携帯端末から受信する信号の受信信号強度を検出する受信信号強度検出部（２３３）と、受信信号強度検出部が検出する受信信号強度に基づいて、ドライバとしての役割を担うユーザによって携帯されている携帯端末であるドライバ端末を決定するドライバ端末決定部（Ｇ４）と、を備え、第１通信部は、車両用携帯機が所定の識別エリアに存在する場合に車載機から送信される、ドライバ端末を決定するための処理を実行するように指示する指示信号を受信し、ドライバ端末決定部は、第１通信部が指示信号を受信した時点を基準として定まる時間帯において受信信号強度検出部が検出した受信信号強度に基づいて、ドライバ端末を決定するものであって、車室外において運転席用ドアのドアハンドルから一定距離以内となるエリア、及び車室内において運転席を基準とする一定範囲の少なくとも何れか一方が識別エリアに設定されていることを特徴とする。
【００２１】
この車両用携帯機は、上述したユーザ識別システムで利用される車両用携帯機に相当する。つまり、以上の構成によれば、上述したユーザ識別システムの発明と同様の効果を奏する。
【００２２】
なお、特許請求の範囲に記載した括弧内の符号は、一つの態様として後述する実施形態に記載の具体的手段との対応関係を示すものであって、本発明の技術的範囲を限定するものではない。
【図面の簡単な説明】
【００２３】
【図１】ユーザ識別システム１の実施の形態を表す概念図である。
【図２】車載機１００の概略的な構成を示すブロック図である。
【図３】各ＬＦアンテナ部１０４が形成する通信範囲を表す概念図である。
【図４】車両側制御部１０１の概略的な構成を示すブロック図である。
【図５】車両用携帯機２００の概略的な構成を示すブロック図である。
【図６】携帯機側制御部２１０の概略的な構成を示すブロック図である。
【図７】携帯端末３００の概略的な構成を示すブロック図である。
【図８】車両側制御部１０１が実施する車載機側処理を説明するためのフローチャートである。
【図９】ユーザＵａとユーザＵｂとが離れている場合の各携帯端末から車両用携帯機２００が受信する信号の受信信号強度の大小関係を表す概念図である。
【図１０】ユーザＵａとユーザＵｂとが近接している状況を表した概念図である。
【図１１】ユーザＵａとユーザＵｂとが近接している場合の各携帯端末から車両用携帯機２００が受信する信号の受信信号強度の大小関係を表す概念図である。
【図１２】携帯機側制御部２１０が実施する携帯機側処理を説明するためのフローチャートである。
【図１３】変形例３の作動を説明するための概念図である。
【発明を実施するための形態】
【００２４】
以下、本発明の実施形態について図を用いて説明する。図１は、本発明に係るユーザ識別システム１の一つの実施の形態を示す概念図である。図１に示すようにユーザ識別システム１は、車両Ｖに搭載された車載機１００と、車両Ｖに対する固有のキーとしての機能を備えた車両用携帯機２００と、複数のユーザＵａ、Ｕｂのそれぞれによって携帯されている複数の携帯端末３００ａ、３００ｂを備える。
【００２５】
ここでのユーザとは、車両Ｖのユーザとして予め登録されている人物を指し、車両用携帯機２００はユーザＵａによって携帯されているものとする。また、以降において携帯端末３００ａと携帯端末３００ｂとを互いに区別しない場合には、携帯端末３００と記載する。
【００２６】
＜全体の概略的な構成＞
車載機１００と車両用携帯機２００はそれぞれ、互いに所定の周波数帯の電波を用いた無線通信を実施することで、周知のスマートエントリーシステムを実現するための機能を有している。
【００２７】
具体的には、車両用携帯機２００は、車載機１００から送信される所定の周波数帯の信号を受信するとともに、車載機１００に対して所定の周波数帯の信号を返送する機能を有する。また、車載機１００は、車両用携帯機２００に対して所定の周波数帯の信号を送信するとともに、車両用携帯機２００から送信される所定の周波数帯の信号を受信する。
【００２８】
ここでは一例として、車載機１００から車両用携帯機２００への信号の送信には、ＬＦ（Ｌｏｗ  Ｆｒｅｑｕｅｎｃｙ）帯の電波が用いられ、車両用携帯機２００から車載機１００への信号の送信には、ＵＨＦ（Ｕｌｔｒａ  Ｈｉｇｈ  Ｆｒｅｑｕｅｎｃｙ）帯の電波が用いられるものとする。ここでのＬＦ帯とは、例えば３０ｋＨｚ〜３００ｋＨｚを指し、ＵＨＦ帯とは３００ＭＨｚ〜３ＧＨｚを指す。
【００２９】
そして、車載機１００は、車両用携帯機２００と無線通信による照合処理を実施し、照合が成立したことに基づいて、ドアの施解錠やエンジン始動等を実施するための種々の制御を実行する。これにより、車両用携帯機２００を携帯したユーザＵａは、キーとしての車両用携帯機２００を操作すること無く、ドアの施錠／解錠、エンジンの始動／停止などを実現することができる。
【００３０】
なお、車載機１００の通信範囲（車両通信範囲とする）は、ユーザＵａが車両Ｖの何れの方位から接近する場合であっても車両用携帯機２００を検知できるように、適宜設計されればよい。例えば、車両通信範囲は、車両Ｖから数メートル以内の範囲とする。
【００３１】
また、車両用携帯機２００は、ユーザによって操作されるスイッチ２４０（図５参照）を備えており、ユーザによって操作されたスイッチに応じた信号を車載機１００に送信することで、車両ドアの施錠／解錠等の制御を実行する、いわゆるリモートキーレスエントリー機能を有する。このように車両用携帯機２００は車両Ｖのキーとして機能する。
【００３２】
携帯端末３００は、通信範囲が例えば最大でも数十メートル程度となる所定の近距離無線通信規格に準拠した通信（近距離通信とする）を実施する機能を備えた通信デバイスである。携帯端末３００は、この近距離通信機能を備えていればよく、例えばスマートフォン等の携帯電話機を携帯端末３００として用いることができる。もちろん、携帯端末３００は、タブレット端末、ウェアラブルデバイス、携帯用音楽プレーヤ、携帯用ゲーム機等であってもよい。
【００３３】
ここでの近距離無線通信規格としては、例えばＢｌｕｅｔｏｏｔｈ  Ｌｏｗ  Ｅｎｅｒｇｙ（Ｂｌｕｅｔｏｏｔｈは登録商標）や、Ｗｉ−Ｆｉ（登録商標）、ＺｉｇＢｅｅ（登録商標）等を採用することができる。
【００３４】
車両用携帯機２００もまた、上述の近距離通信機能を備えており、自機にとって近距離通信可能な範囲（近距離通信範囲とする）内に存在する携帯端末３００を検出し、近距離通信を行う。ここでの自機とは、車両用携帯機２００を指す。携帯端末３００は、自身に割り当てられた固有の識別コード（端末ＩＤとする）を含む通知信号を、定期的に又は車両用携帯機２００からの要求に基づいて送信することで、車両用携帯機２００に対して自身の存在を通知する。
【００３５】
ここでは一例として、車両用携帯機２００が、携帯端末３００にとってのマスターとして振る舞い、携帯端末３００は、車両用携帯機２００にとってスレーブとして振る舞うものとする。そして、携帯端末３００は、通知信号を所定の周期（通知周期とする）で定期的に送信することで、車両用携帯機２００に対して自身の存在を通知する。
【００３６】
なお、図１に示す携帯端末３００ａ、３００ｂはいずれも、車両用携帯機２００の近距離通信範囲に存在しているものとする。もちろん、車両用携帯機２００の近距離通信範囲に存在しうる携帯端末３００の数は、２台に限らない。
【００３７】
＜ユーザ識別システム１の作動の概略＞
本実施形態におけるユーザ識別システム１は、概略的に次のように作動する。まず、車両用携帯機２００は、自機周辺に存在する携帯端末３００から受信する信号の受信信号強度に基づいて、ドライバとしての役割を担うユーザによって携帯されている携帯端末（ドライバ端末とする）を特定する。自機周辺とは、近距離通信範囲内を指す。
【００３８】
そして、車両用携帯機２００は、ドライバ端末であると特定した携帯端末３００の端末ＩＤから定まるドライバ情報を、車載機１００に送信する。ドライバ情報とは、車両Ｖのユーザのうち、今回の走行においてドライバとしての役割を担うユーザを、車載機１００が特定又は認識するための情報である。ここでは、一例として、車両用携帯機２００は、ドライバ端末であると特定した携帯端末３００の端末ＩＤを、ドライバ情報として車載機１００に送信するものとする。
【００３９】
車載機１００には予め、車両Ｖのユーザと、そのユーザが保有する携帯端末３００の端末ＩＤと、車両Ｖに対するユーザ独自の設定（例えば座席位置等）を示す車両設定データと、を対応付けたデータであるユーザ管理データが格納されている。なお、車両Ｖのユーザは、ユーザ毎に個別に付与されるユーザＩＤによって区別されればよい。
【００４０】
車載機１００は、車両用携帯機２００からドライバ情報を取得すると、ユーザ管理データを参照し、取得したドライバ情報に含まれる端末ＩＤに対応するユーザを、ドライバとして決定する。
【００４１】
そして、車載機１００は、ドライバに対応する車両設定データを参照し、例えば座席位置等の車内環境をドライバの好みに応じた車内環境へと自動的に設定変更する。なお、ドライバ情報が、請求項に記載のドライバ端末関連情報の一例に相当する。以下、各要素の具体的な構成及び作動について述べる。
【００４２】
＜車載機１００の構成＞
車載機１００は、車両Ｖに搭載されてあって、図２に示すように車両内ネットワークＮｗを介して、種々のＥＣＵ（Ｅｌｅｃｔｒｏｎｉｃ  Ｃｏｎｔｒｏｌ  Ｕｎｉｔ）と相互通信可能に接続されている。例えば車載機１００は、ボディＥＣＵ１１０や、エンジンＥＣＵ１２０、電源ＥＣＵ１３０のそれぞれと車両内ネットワークＮｗを介して通信する。
【００４３】
ボディＥＣＵ１１０は、車両Ｖに搭載された種々のアクチュエータ（図示略）を制御するＥＣＵである。例えばボディＥＣＵ１１０は、車両Ｖに設けられたドアの施解錠を制御するための駆動信号を各車両ドアに設けられたドアロックモータに出力することで、各ドアの施解錠を行う。また、ボディＥＣＵ１１０には、各ドアについてのカーテシスイッチが接続されており、各ドアの開閉を検出する。他にも、ボディＥＣＵ１１０には、運転席に乗員が存在することを検知する乗員検知センサが接続されており、運転席に乗員が存在するか否かを検出する。乗員検知センサの例としては、運転席に設けた周知の着座センサなどを用いることができる。
【００４４】
エンジンＥＣＵ１２０は、エンジンの動作を制御するＥＣＵである。例えばエンジンＥＣＵ１２０は、車載機１００からエンジンの始動を許可する信号（エンジン始動許可信号とする）を取得すると、内部状態として、スタータモータなどが始動できる状態であるエンジン始動待機状態となる。また、エンジンＥＣＵ１２０は、エンジン始動待機状態となっている状態において、車載機１００からエンジンの始動を指示する始動指示信号を取得すると、エンジンを始動させる。
【００４５】
電源ＥＣＵ１３０は、車内の各種電装部品への電源供給を制御するＥＣＵである。電源ＥＣＵ１３０は、例えば車載機１００から車内の各種電装部品への電源供給を許可する信号を取得した場合に、各種電装部品へ電力を供給する。
【００４６】
車載機１００は、車両側制御部１０１、ＵＨＦアンテナ部１０２、ＵＨＦ受信部１０３、ＬＦアンテナ部１０４、ＬＦ制御部１０５、タッチセンサ１０６、及びエンジン始動ボタン１０７を備える。ＵＨＦ受信部１０３及びＬＦ制御部１０５が請求項に記載の車載機側通信部に相当する。車両側制御部１０１と、ＵＨＦ受信部１０３、ＬＦ制御部１０５、タッチセンサ１０６、及びエンジン始動ボタン１０７とは通信可能に接続されている。
【００４７】
ＵＨＦアンテナ部１０２は、ＵＨＦ帯の電波を電気信号に変換してＵＨＦ受信部１０３に出力する。ＵＨＦアンテナ部１０２は、車両Ｖにおいて適宜設計される位置に設けられていればよい。ＵＨＦ受信部１０３は、ＵＨＦアンテナ部１０２から入力される信号を復調して車両側制御部１０１に提供する。
【００４８】
ＬＦアンテナ部１０４は、ＬＦ制御部１０５から入力された信号をＬＦ帯の電波に変換して空間へ放射するためのモジュールであって、少なくともＬＦ制御部１０５からの入力信号をＬＦ帯の電波に変換して空間に放射するＬＦアンテナを備える。ＬＦアンテナ部１０４は、ＬＦアンテナに加えて、ＬＦ制御部１０５から入力された信号を増幅する増幅器などを備えていても良い。
【００４９】
このＬＦアンテナ部１０４は、車両Ｖの複数箇所に設けられてあって、ここでは一例として図３に示すように、車両Ｖの各ドアのドアハンドル付近に設けられているものとする。つまり、車載機１００は運転席用のドアハンドルに設けられたＬＦアンテナ部１０４ａと、助手席用のドアハンドルに設けられたＬＦアンテナ部１０４ｂと、運転席側後部座席用のドアハンドルに設けられたＬＦアンテナ部１０４ｃと、助手席側後部座席用のドアハンドルに設けられたＬＦアンテナ部１０４ｄと、を備える。
【００５０】
もちろん、各ＬＦアンテナ部１０４の搭載位置は、上述した位置に限らない。さらに、上述した場所以外にも、例えばＬＦアンテナ部１０４はトランクドア付近や、車室内の所定の位置に設けられていても良い。なお、本実施形態において車両Ｖの運転席は前部座席の右側の座席とする。
【００５１】
また、各ＬＦアンテナ部１０４から送信される電波の到達するエリア（到達エリアとする）は、所望の車両通信範囲を形成するように決定される。ここでは、各ＬＦアンテナ部１０４の電波到達距離は、数メートルから１０メートル程度とし、到達エリアの大部分が他のＬＦアンテナ部１０４の到達エリアと重なるように設計される。図３中の破線Ｌａで囲まれる領域は、ＬＦアンテナ部１０４ａが送信する電波の到達エリアを、破線Ｌｂで囲まれる領域は、ＬＦアンテナ部１０４ｂが送信する電波の到達エリアを、それぞれ概念的に表している。また、破線Ｌｃで囲まれる領域は、ＬＦアンテナ部１０４ｃが送信する電波の到達エリアを、破線Ｌｄで囲まれる領域は、ＬＦアンテナ部１０４ｄが送信する電波の到達エリアを、それぞれ概念的に表している。
【００５２】
ＬＦ制御部１０５は、車両側制御部１０１から入力されたベースバンド信号を搬送波信号に変調した信号を生成する。そして、その変調した信号を、各ＬＦアンテナ部１０４に順番に出力し、順に送信させる。このとき、複数のＬＦアンテナ部１０４から電波が送信されている時間が重ならないように、各ＬＦアンテナ部１０４から電波を送信するタイミングは、車両側制御部１０１によって制御される。各ＬＦアンテナ部１０４からの電波の送信タイミングをずらすことで、或るＬＦアンテナ部１０４から送信された信号が、他のＬＦアンテナ部１０４から送信された信号と混信してしまうことを防ぐことができる。
【００５３】
タッチセンサ１０６は、車両Ｖの各ドアハンドルに装備されて、ユーザがそのドアハンドルを触れていることを検出する。各タッチセンサ１０６の検出結果は、車両側制御部１０１に逐次出力される。
【００５４】
エンジン始動ボタン１０７は、ユーザがエンジンを始動させるためのプッシュスイッチである。エンジン始動ボタン１０７は、ユーザによってプッシュ操作がされると、その旨を示す制御信号を車両側制御部１０１に出力する。
【００５５】
車両側制御部１０１は、ＣＰＵ、ＲＯＭ、フラッシュメモリ、ＲＡＭ、Ｉ／Ｏ等を備えるマイクロコンピュータを主体として構成されてあって、ＲＯＭに格納された制御プログラムを実行することで各種の処理を実行する。例えば、車両側制御部１０１は、スマートエントリーシステムを実現するための処理を実行する。
【００５６】
車両側制御部１０１が備える記憶部１０１Ｍは、フラッシュメモリ等の、不揮発性の記憶媒体によって実現される。記憶部１０１Ｍには、車両Ｖのユーザと、そのユーザが保有する携帯端末３００の端末ＩＤと、車両Ｖに対するユーザ独自の設定を示す車両設定データと、を対応付けたデータであるユーザ管理データが格納されている。
【００５７】
ユーザ独自の設定の対象となる項目とは、例えば座席位置や、車室内ミラー及びサイドミラーの角度、空調温度等といった車内環境を構成する項目が該当する。また車両Ｖが、ドライバの搭乗又は搭乗準備動作の検出をトリガとして、車室内外に設けられた照明を点灯させる機能（ウェルカム照明機能）を備えている場合には、その照明の色などもユーザによって設定可能な項目としてもよい。さらに、車載ナビゲーションシステムに対しても、ユーザ毎に異なる設定がなされていても良い。
【００５８】
また、記憶部１０１Ｍは、車両Ｖにおいて各ＬＦアンテナ部１０４のそれぞれが設置されている位置を示すデータを記憶している。
【００５９】
この車両側制御部１０１は、上述したプログラムを実行することで実現する機能ブロックとして、図４に示すように送信処理部Ｆ１、受信処理部Ｆ２、車両情報取得部Ｆ３、照合処理部Ｆ４、携帯機位置特定部Ｆ５、ドライバ特定部Ｆ６、及びドライバ設定反映部Ｆ７を備えている。なお、車両側制御部１０１が実行する機能の一部又は全部は、一つ或いは複数のＩＣ等によりハードウェア的に実現されてもよい。
【００６０】
送信処理部Ｆ１は、各ＬＦアンテナ部１０４から送信させるための信号を生成し、ＬＦ制御部１０５に出力して、各ＬＦアンテナ部１０４から順番に送信させる。送信信号としては、車両用携帯機２００を後述するスリープモードから起動モードに遷移させるためのウェイク信号や、車両用携帯機２００を照合するための照合信号、車両Ｖに対する車両用携帯機２００の位置を特定するための位置特定用信号、ドライバ端末を特定するように指示する指示信号などが該当する。何れの信号も、車両用携帯機２００に対して、その信号の内容に応じた応答信号を返送するように要求する信号である。なお、位置特定用信号は、ウェイク信号と同一の信号であってもよい。
【００６１】
受信処理部Ｆ２は、ＵＨＦアンテナ部１０２において受信され、かつ、ＵＨＦ受信部１０３によって復調されたデータを取得する。車両情報取得部Ｆ３は、タッチセンサ１０６や、エンジン始動ボタン１０７、ボディＥＣＵ１１０、エンジンＥＣＵ１２０、電源ＥＣＵ１３０などの車両Ｖに搭載されたセンサやＥＣＵから、車両の状態を示す種々の情報（車両情報）を取得する。
【００６２】
車両情報としては、例えば、ドアの開閉状態や、各ドアの施錠／解錠状態、乗員検知センサの検出結果、タッチセンサ１０６、エンジン始動ボタン１０７の押下の有無、などが該当する。また、図示しないシフトポジションセンサが検出するシフトポジションや、ブレーキペダルが踏み込まれているか否かを検出するブレーキセンサの検出結果なども車両情報に含まれる。
【００６３】
照合処理部Ｆ４は、車両用携帯機２００との無線通信による照合処理を実施する。この照合処理の手順は周知であるため、ここではその詳細な説明は省略する。照合処理部Ｆ４は、車両情報取得部Ｆ３が取得した車両情報に基づき、照合処理を実施するべき所定のユーザの挙動を検出した場合に、照合処理を実施する。例えば、照合処理部Ｆ４は、車両用携帯機２００が車両通信範囲に進入したことを検知した時や、エンジン始動ボタン１０７がプッシュされた時などに照合処理を実施する。
【００６４】
なお、車両用携帯機２００が車両通信範囲に進入したか否かは、定期的に送信するウェイク信号に対する車両用携帯機２００からの応答の有無に基づいて判定すればよい。つまり、ウェイク信号に対する車両用携帯機２００からの応答信号を受信していない状態が継続している状態において、車両用携帯機２００からの応答信号を受信した場合に、車両用携帯機２００が車両通信範囲に進入したと判定すればよい。
【００６５】
携帯機位置特定部Ｆ５は、車両Ｖに対する車両用携帯機２００の位置（携帯機位置とする）を特定する。携帯機位置を特定する方法は公知となっている種々の方法を援用すればよい。
【００６６】
ここでは一例として、車両用携帯機２００は、位置特定信号を受信した場合には、その受信信号強度を示す情報（受信強度情報とする）を含む応答信号を返送する態様とし、携帯機位置特定部Ｆ５は、その応答信号に含まれる受信強度情報に基づいて携帯機位置を特定することとする。
【００６７】
具体的には次の通りである。例えば車両用携帯機２００が、図３に示すように複数のＬＦアンテナ部１０４ａ、１０４ｂ、１０４ｃからの電波を受信する位置に存在している場合、車両用携帯機２００は、ＬＦアンテナ部１０４ａ、１０４ｂ、１０４ｃのそれぞれから異なるタイミングで送信される位置特定用信号のそれぞれに対して、受信強度情報を含む応答信号を返送する。これにより、車両側制御部１０１は、ＬＦアンテナ部１０４ａ、１０４ｂ、１０４ｃのそれぞれから送信した位置特定用信号が車両用携帯機２００で受信された時の受信信号強度を取得する。
【００６８】
無線信号は、空間を伝播する過程において減衰していくため、車両用携帯機２００とＬＦアンテナ部１０４との距離が大きい程、その受信信号強度は小さい値となる。したがって、位置特定用信号に対して返送されてくる応答信号に含まれる受信強度情報から、その位置特定用信号を送信したＬＦアンテナ部１０４と車両用携帯機２００との距離を求めることができる。
【００６９】
例えば、携帯機位置特定部Ｆ５は、ＬＦアンテナ部１０４と車両用携帯機２００との距離と、受信信号強度との対応関係を表す距離変換データに基づいて、位置特定用信号の受信信号強度から、その位置特定用信号を送信したＬＦアンテナ部１０４と車両用携帯機２００との距離を特定する。距離変換データは、種々の試験によって生成され、予め記憶部１０１Ｍに格納しておけば良い。
【００７０】
なお、複数のＬＦアンテナ部１０４はそれぞれ異なるタイミングで位置特定用信号を送信するため、携帯機位置特定部Ｆ５は、位置特定用信号に対する応答を受信したタイミングから、その位置特定用信号を送信したＬＦアンテナ部１０４は一意に特定できる。また、各ＬＦアンテナ部１０４の車両Ｖにおける設置位置は記憶部１０１Ｍに格納されている。
【００７１】
したがって、携帯機位置特定部Ｆ５は、少なくとも３つのＬＦアンテナ部１０４から送信した位置特定用信号に対する応答信号を受信できた場合には、三角測量の原理に従って、車両Ｖに対する車両用携帯機２００の位置を特定することができる。つまり、携帯機位置特定部Ｆ５は、各ＬＦアンテナ部１０４の車両Ｖにおける設置位置と、少なくとも３つのＬＦアンテナ部１０４からの距離から、携帯機位置を特定する。
【００７２】
また、携帯機位置特定部Ｆ５は、携帯機位置が、予め設定された識別エリア内となっているか否かを判定する。識別エリアとは、車両用携帯機２００における、ドライバによって携帯される携帯端末３００から送信された近距離通信の信号の受信信号強度が、他のユーザによって携帯される携帯端末から送信された近距離通信信号の受信信号強度よりも高くなることが想定されるエリアである。例えば、識別エリアは、運転席用ドアの付近や、運転席などとすればよい。識別エリアについての詳細は別途後述する。
【００７３】
ドライバ特定部Ｆ６は、車両用携帯機２００から送信されるドライバ情報を取得しドライバを特定する。つまり、ドライバ情報に示される端末ＩＤに対応するユーザをドライバとして認識する。
【００７４】
ドライバ設定反映部Ｆ７は、車両の環境をドライバの好みに応じた環境へと設定変更（いわゆるカスタマイズ）する。例えばドライバ設定反映部Ｆ７は、運転席の座席位置を予め設定された位置まで移動させるように指示する信号を、ボディＥＣＵ１１０に出力する。ボディＥＣＵ１１０は、ドライバ設定反映部Ｆ７からの指示に基づいて、座席位置を調整するアクチュエータを駆動させる。
【００７５】
＜車両用携帯機２００の構成＞
車両用携帯機２００は、図５に示すように、携帯機側制御部２１０、車両用通信部２２０、近距離通信部２３０、スイッチ２４０、振動センサ２５０、及びＧＮＳＳ受信機２６０を備える。
【００７６】
携帯機側制御部２１０は、車両用携帯機２００の動作を制御するものであって、車両用通信部２２０、近距離通信部２３０、スイッチ２４０、振動センサ２５０、及びＧＮＳＳ受信機２６０のそれぞれと通信可能に接続されている。
【００７７】
車両用通信部２２０は、車載機１００と通信を行うためのモジュールであり、より細かい要素として、ＬＦアンテナ部２２１、ＬＦ受信部２２２、ＵＨＦ送信部２２３、及びＵＨＦアンテナ部２２４を備える。この車両用通信部２２０が請求項に記載の第１通信部に相当する。
【００７８】
ＬＦアンテナ部２２１は、ＬＦ帯の電波を電気信号に変換してＬＦ受信部２２２に出力する。ＬＦ受信部２２２は、ＬＦアンテナ部２２１から入力される信号を復調したデータを生成する。また、ＬＦ受信部２２２は、ＬＦアンテナ部２２１で受信した信号の受信信号強度を検出する信号強度検出回路を備え、ＬＦ受信部２２２は、受信信号を復調したデータと、受信信号強度とを対応付けて携帯機側制御部２１０に提供する。
【００７９】
ＵＨＦ送信部２２３は、携帯機側制御部２１０から入力されたベースバンド信号を搬送波信号に変調して、ＵＨＦアンテナ部２２４に出力する。ＵＨＦアンテナ部２２４は、ＵＨＦ送信部２２３から入力された信号を、ＵＨＦ帯の電波に変換して空間へ放射するためのモジュールであって、少なくともＵＨＦ帯の電波を放射するＵＨＦアンテナを備える。
【００８０】
近距離通信部２３０は、携帯端末３００と近距離通信を行うためのモジュールであり、より細かい要素として、近距離通信用アンテナ部２３１と、近距離通信制御部２３２と、を備える。この近距離通信部２３０が請求項に記載の第２通信部に相当する。
【００８１】
近距離通信用アンテナ部２３１は、近距離通信に用いられる周波数帯（例えば２．４ＧＨｚ帯）の電波を送受信するためのアンテナである。近距離通信制御部２３２は、近距離通信用アンテナ部２３１で受信した信号を復調して携帯機側制御部２１０に提供するとともに、携帯機側制御部２１０から入力された信号を変調して、近距離通信用アンテナ部２３１に出力し、送信させる。
【００８２】
近距離通信制御部２３２は、さらに、近距離通信用アンテナ部２３１で受信した信号の受信信号強度を検出する受信信号強度検出部２３３を備え、近距離通信制御部２３２は、受信信号を復調したデータと、受信信号強度とを対応付けて携帯機側制御部２１０に提供する。
【００８３】
スイッチ２４０は、車両用携帯機２００に対するユーザ操作を受け付けるためのスイッチであって、例えばプッシュスイッチとする。例えば、ユーザはスイッチ２４０を操作（ここではプッシュ）することで、車両Ｖのドアの解錠／施錠を実施させるリモートキーレスエントリー機能を利用することができる。スイッチ２４０は、複数備えられていてもよい。ここでは、一例として、スイッチ２４０として、車両Ｖのドアを施錠するためのスイッチ２４０と、車両Ｖのドアを解錠するためのスイッチ２４０と、ドライバ端末を決定するように指示するためのスイッチ２４０の３つのスイッチを備えているものとする。
【００８４】
振動センサ２５０は、車両用携帯機２００に生じている振動を検知するためのセンサであって、例えば周知の加速度センサを用いて実現されればよい。振動センサ２５０は、車両用携帯機２００に生じている振動の大きさに対応する信号を携帯機側制御部２１０に出力する。
【００８５】
ＧＮＳＳ受信機２６０は、ＧＮＳＳ（Ｇｌｏｂａｌ  Ｎａｖｉｇａｔｉｏｎ  Ｓａｔｅｌｌｉｔｅ  Ｓｙｓｔｅｍ）で用いられる衛星（ＧＮＳＳ衛星とする）からの電波を受信することで、ＧＮＳＳ受信機２６０の現在位置を示す情報（現在位置情報）を取得する。現在位置は、例えば緯度、経度によって表されれば良い。ＧＮＳＳ受信機２６０が取得した現在位置情報は、携帯機側制御部２１０に出力される。なお、ＧＮＳＳ衛星が請求項に記載の測位用衛星に相当する。
【００８６】
携帯機側制御部２１０は、ＣＰＵ、ＲＯＭ、フラッシュメモリ、ＲＡＭ、Ｉ／Ｏ等を備えるマイクロコンピュータを主体として構成されてあって、ＲＯＭに格納された制御プログラムを実行することで各種の処理を実行する。車両用携帯機２００が実行する機能の一部又は全部は、一つ或いは複数のＩＣ等によりハードウェア的に実現されてもよい。
【００８７】
携帯機側制御部２１０が備える携帯機側記憶部２１１は、フラッシュメモリ等の、不揮発性の記憶媒体によって実現される。携帯機側記憶部２１１には、車両Ｖとの照合を行うために車両用携帯機２００に割り当てられている携帯機ＩＤが格納されている。
【００８８】
この携帯機側制御部２１０は、上述したプログラムを実行することで実現する機能ブロックとして、図６に示すように車両用通信処理部Ｇ１、電源管理部Ｇ２、近距離通信処理部Ｇ３、ドライバ端末決定部Ｇ４、操作検出部Ｇ５、位置情報取得部Ｇ６、及び振動情報取得部Ｇ７を備えている。
【００８９】
車両用通信処理部Ｇ１は、ＬＦアンテナ部２２１を介してＬＦ受信部２２２が受信したデータ、及び、その受信信号強度を取得する。また、車両用通信処理部Ｇ１は、ＵＨＦアンテナ部２２４から送信させるための信号を生成し、ＵＨＦ送信部２２３に出力する。つまり、車両用通信処理部Ｇ１は、車載機１００との通信に関わるソフトウェア処理を実施する。
【００９０】
ＵＨＦアンテナ部２２４から送信させる信号とは、車載機１００から受信した信号に対する応答信号である。例えば、照合信号を受信した場合には、受信データの内容と携帯機ＩＤとから所定の規則に則ったＩＤコードを生成し、当該ＩＤコードを含む信号を返送させる。また、位置特定用信号を受信した場合には、その受信信号強度を示す信号強度情報を含む応答信号を返送させる。
【００９１】
電源管理部Ｇ２は、車両用携帯機２００が備える電源（図示略）から各部への電力の供給を制御する。例えば、電源管理部Ｇ２は、携帯端末３００との近距離通信を実施する必要がない場合には、近距離通信部２３０を、近距離通信部２３０での消費電力を抑制するための低消費電力モードに設定する。低消費電力モードは、近距離通信部２３０全体への電力供給を停止する態様としてもよいし、電力を供給する部分を限定的にすることで消費電力を抑制する態様としてもよい。
【００９２】
携帯端末３００との近距離通信を実施する必要がない場合とは、例えば車載機１００からの指示信号を受信していない場合や、後述するスキャン処理を実施して、自機周辺に携帯端末３００が検出されなかった場合などが該当する。便宜上、低消費電力モードではなく、携帯端末３００との近距離通信が可能な状態をアクティブモードと称する。
【００９３】
なお、車両用携帯機２００は、動作モードとして、車両用携帯機２００全体における消費電力を抑制するためのスリープモードと、スリープモードに対して相対的に電力が供給されている部分が多い起動モードとを備える。車両用携帯機２００は、スリープモード時において車載機１００からの信号（例えばウェイク信号）を受信すると、まずは電源管理部Ｇ２に関連する構成部分が起動して、電源管理部Ｇ２が所定の機能部へ電力を供給する。
【００９４】
近距離通信処理部Ｇ３は、近距離通信用アンテナ部２３１を介して近距離通信制御部２３２が受信したデータ、及び、その受信信号強度を取得する。また、近距離通信処理部Ｇ３は、携帯端末３００へ送信するべき信号を生成し、近距離通信制御部２３２に出力する。
【００９５】
また、この近距離通信処理部Ｇ３は、携帯端末３００との通信を実施するための準備処理として、自機周辺に存在する携帯端末３００を検出する処理（スキャン処理）を実施する。例えば、スキャン処理において近距離通信処理部Ｇ３は、通知周期に応じた時間だけ、近距離通信部２３０を携帯端末３００からの信号を受信できる状態にする。そして、当該時間内において、携帯端末３００から送信される通知信号を受信することで、自機周辺に存在する携帯端末３００を検出する。なお、スキャン処理は、携帯端末３００に限らず、自機周辺に存在する全ての近距離通信機能を備えた通信端末を検出する態様としてもよい。
【００９６】
スキャン処理によって検出された携帯端末３００は、その携帯端末３００からの信号の受信信号強度と対応付けられて、例えばリスト形式で管理される。なお、近距離通信処理部Ｇ３は、検出した携帯端末３００を、その携帯端末３００の端末ＩＤによって区別する。
【００９７】
近距離通信処理部Ｇ３がスキャン処理を実施する場合とは、ここでは一例として、車載機１００から指示信号を受信した場合とする。もちろん、他の態様として指示信号に限らず、車両用携帯機２００が車載機１００からの信号を受信した場合にスキャン処理を実施する態様としてもよい。また、車両用携帯機２００が起動モードとなっている間において一定時間毎に実施する態様としてもよい。
【００９８】
ドライバ端末決定部Ｇ４は、自機周辺に存在する複数の携帯端末３００のうち、各携帯端末３００から送信される信号の受信信号強度に基づいて、ドライバによって携帯されていると推定される携帯端末（ドライバ端末とする）を決定する。具体的には、自機周辺に存在する複数の携帯端末３００のうち、指示信号を受信した時点を基準として定まる時間帯における受信信号強度が最も高い信号を送信している携帯端末３００を、ドライバ端末に決定する。
【００９９】
なお、自機周辺に存在する携帯端末３００が１台しか存在しない場合であって、かつ、その携帯端末３００からの受信信号強度が所定の閾値以上である場合には、その携帯端末３００をドライバ端末に決定すればよい。ここでの閾値は、車両用携帯機２００と、その検出された携帯端末３００との距離が一定距離（例えば５ｍ）以上離れているか否かを識別するための閾値である。
【０１００】
車両用通信処理部Ｇ１は、ドライバ端末決定部Ｇ４がドライバ端末を決定した場合には、そのドライバ端末の端末ＩＤをドライバ情報として車載機１００に送信する。
【０１０１】
操作検出部Ｇ５は、スイッチ２４０から入力される制御信号に基づいて、スイッチ２４０に対するユーザ操作を検出する。例えば、操作検出部Ｇ５が、車両Ｖのドアを解錠するためのスイッチ２４０がユーザによってプッシュされたことを検出した場合には、車両用通信処理部Ｇ１は、ドアの解錠を指示する信号を車載機１００に送信する。位置情報取得部Ｇ６はＧＮＳＳ受信機２６０から提供される位置情報を取得する。振動情報取得部Ｇ７は、振動センサ２５０から提供される車両用携帯機２００に生じている振動についての情報を取得する。
【０１０２】
＜携帯端末３００の構成＞
携帯端末３００は、前述の通り、近距離通信を実施するための機能を備えていればよく、スマートフォン等の種々の携帯端末を採用することができる。携帯端末３００の概略的な構成を図７に示す。図７に示すように、携帯端末３００は、端末側制御部３１０と、近距離通信部３２０とを備える。なお、スマートフォンなどの一般的な携帯端末が有している機能に関する構成のうち、本発明の説明に不要なものについては説明を省略する。
【０１０３】
端末側制御部３１０は、ＣＰＵ、ＲＯＭ、フラッシュメモリ、ＲＡＭ、Ｉ／Ｏ等を備えるマイクロコンピュータを主体として構成されてあって、ＲＯＭに格納された制御プログラムを実行することで各種の処理を実行する。なお、端末側制御部３１０が実行する機能の一部又は全部を、一つ或いは複数のＩＣ等によりハードウェア的に構成してもよい。
【０１０４】
端末側制御部３１０が備える記憶部３１１は、フラッシュメモリ等の、不揮発性の記憶媒体によって実現される。記憶部３１１には、携帯端末３００固有の端末ＩＤの他、種々のアプリケーションプログラムが格納されている。例えば、記憶部３１１には、車両用携帯機２００を介して車載機１００と通信を実施するためのアプリケーションプログラムが格納される。
【０１０５】
近距離通信部３２０は、携帯端末３００が車両用携帯機２００と近距離通信を実施するための機能を実現するためのモジュールであって、その構成は、近距離通信部２３０と同様である。
【０１０６】
＜ドライバ特定処理＞
次に、ドライバを特定するために、車載機１００の車両側制御部１０１、車両用携帯機２００の携帯機側制御部２１０のそれぞれが実施する処理について説明する。便宜上、車載機１００の車両側制御部１０１が実施する処理を車載機側処理と称し、車両用携帯機２００の携帯機側制御部２１０が実施する処理を携帯機側処理と称する。車載機側処理及び携帯機側処理をまとめてドライバ特定処理と称する。
【０１０７】
まずは、図８に示すフローチャートを用いて、車載機側処理について説明する。この車載機側処理は、例えば車載機１００と車両用携帯機２００との間の無線通信による照合が成立した時点において開始される。
【０１０８】
もちろん、車載機側処理を開始するための条件は適宜設計されればよく、例えば車両用携帯機２００が車両通信範囲に進入したことを検知した場合としてもよい。なお、後述する携帯機側処理を開始する条件も適宜設計されればよく、ここでは車載機側処理と同様に、車載機１００と車両用携帯機２００との間の無線通信による照合が成立した場合とする。
【０１０９】
まず、ステップＳ１０１では送信処理部Ｆ１が、各ＬＦアンテナ部１０４から位置特定用信号を送信させ、ステップＳ１０２に移る。この位置特定用信号は、車両用携帯機２００に対して応答を要求する信号であればよく、ウェイク信号であってもよい。もちろん、車両用携帯機２００の位置を特定するためだけの信号であってもよい。
【０１１０】
ステップＳ１０２では受信処理部Ｆ２が、ステップＳ１０１において各ＬＦアンテナ部１０４から順次送信させた複数の位置特定用信号のうち、応答信号が得られた位置特定用信号の数が３つ以上であるか否かを判定する。
【０１１１】
各ＬＦアンテナ部１０４から順次送信させた複数の位置特定用信号のうち、３つ以上の位置特定用信号に対して応答信号を受信できている場合には、ステップＳ１０２がＹＥＳとなってステップＳ１０３に移る。一方、各ＬＦアンテナ部１０４から順次送信させた複数の位置特定用信号のうち、応答信号を受信できた位置特定用信号の数が２つ以下である場合には、ステップＳ１０２がＮＯとなってステップＳ１０１に戻る。
【０１１２】
なお、或るＬＦアンテナ部１０４から送信した位置特定信号に対する応答信号が得られなかったと判定する場合とは、その位置特定用信号を送信してから所定の応答待機時間以内に車両用携帯機２００からの応答信号を受信しなかった場合である。また、或るＬＦアンテナ部１０４から送信した位置特定信号に対する応答信号が得られたと判定する場合とは、その位置特定用信号を送信してから所定の応答待機時間以内に車両用携帯機２００からの応答信号を受信できた場合である。ここでの応答待機時間は、車載機１００が送信した信号に対して車両用携帯機２００が応答信号を返送するために要する時間に応じて適宜設計されればよい。
【０１１３】
なお、ステップＳ１０１に戻った場合には、前回ステップＳ１０１を実施してから一定時間経過したタイミングでステップＳ１０１を実施することとする。つまり、車載機１００は、位置特定用信号を所定の送信周期で送信する。
【０１１４】
ステップＳ１０３では携帯機位置特定部Ｆ５が、複数の応答信号に示される受信信号強度から、上述した方法によって携帯機位置を特定してステップＳ１０４に移る。ステップＳ１０４では、携帯機位置が識別エリアに存在するか否かを判定する。
【０１１５】
ここで、図１、図９〜図１１を用いて、ドライバとしての役割を担うユーザと他のユーザとの距離と、各ユーザが携帯する携帯端末３００から送信される信号の、車両用携帯機２００における受信信号強度との関係について述べる。なお、一般的に車両Ｖのキーとしての機能を備える車両用携帯機２００はドライバによって携帯されるため、逆説的に、車両用携帯機２００を携帯しているユーザＵａをドライバとしての役割を担うユーザとみなすことができる。
【０１１６】
まず、例えば図１に示すように、車両用携帯機２００を有するユーザＵａ（つまりドライバ）と、ユーザＵｂが相対的に離れている場合には、車両用携帯機２００に対して、携帯端末３００ａが携帯端末３００ｂよりも相対的に近い位置に存在する。また、車両用携帯機２００における携帯端末３００から送信された信号の受信信号強度は、その送信元の携帯端末３００と車両用携帯機２００とが離れているほど小さくなる。
【０１１７】
このため、車両用携帯機２００を有するユーザＵａと、ユーザＵｂが相対的に離れている場合には、図９に示すように、車両用携帯機２００が受信する携帯端末３００ａからの信号の受信信号強度は、携帯端末３００ｂからの信号の受信信号強度よりも高くなる。
【０１１８】
一方、図１０に示すように、ユーザＵａとユーザＵｂとが相対的に近い位置に存在している場合、携帯端末３００ａと携帯端末３００ｂの何れもが車両用携帯機２００から相対的に近い位置に存在することになる。このような場合、携帯端末３００ａから送信された信号が車両用携帯機２００に到達するまでの伝搬距離に応じた減衰量と、携帯端末３００ｂから送信された信号が車両用携帯機２００に到達するまでの伝搬距離に応じた減衰量の差は、相対的に小さくなる。
【０１１９】
ところで、携帯端末３００ａから送信された信号の信号強度を減衰させる要因は伝搬距離だけではない。例えば、車両用携帯機２００と携帯端末３００の間にユーザＵａの体が存在する位置関係となるように、ユーザＵａがそれぞれを携帯している場合には、携帯端末３００ａから送信された信号がユーザＵａの人体等の影響を受けて減衰されることがある。
【０１２０】
その結果、ユーザＵａとユーザＵｂとが相対的に近い位置に存在している場合には、図１１に示すように、携帯端末３００ｂから車両用携帯機２００に送信された信号の受信信号強度が、携帯端末３００ａからの信号の受信信号強度よりも高くなる場合が生じる。つまり、車両用携帯機２００にとって、受信信号強度が最も高い携帯端末３００が常にドライバとしての役割を担うユーザによって携帯されている携帯端末であるとは限らない。
【０１２１】
ところで、車両Ｖから車両用携帯機２００が離れている時点においては、ユーザＵａとユーザＵｂとが近接している場合がある一方、車両用携帯機２００が運転席用のドア付近に存在する場合には、携帯端末３００ｂの受信信号強度が、携帯端末３００ａの受信信号強度よりも高くなるほど十分にユーザＵｂ（携帯端末３００ｂ）とユーザＵａ（携帯端末３００ａ）とが近接している可能性は低くなる。
【０１２２】
これは、ユーザＵａは運転席用のドアから搭乗しようとするのに対し、ユーザＵｂは別のドアから搭乗しようとするためである。なお、図１０は、線種の異なる複数の矢印は、車両用携帯機２００、携帯端末３００ａ、携帯端末３００ｂの移動経路の一例を概念的に表している。具体的には、図１０中の実線矢印は車両用携帯機２００の移動経路を表しており、破線は携帯端末３００ａの移動経路を表している。また、図１０中の一点鎖線は、ユーザＵｂが運転席側の後部座席に搭乗しようとした場合の携帯端末３００ｂの移動経路の一例を、二点鎖線は、ユーザＵｂが助手席に搭乗しようとした場合の移動経路の一例を表している。
【０１２３】
図１０に示すように、ユーザＵａが車両に接近するにつれて、ユーザＵａとユーザＵｂとの離隔は確保され、携帯端末３００ｂの受信信号強度が、携帯端末３００ａの受信信号強度よりも高くなる可能性は低くなる。
【０１２４】
以上を鑑みて、車両用携帯機２００における、ユーザＵａによって携帯される携帯端末３００の受信信号強度が、他のユーザによって携帯される携帯端末３００の受信信号強度よりも高くなると想定されるエリアを、識別エリアとして設定とする。
【０１２５】
例えば、識別エリアは、車室外のうち、運転席用ドアのドアハンドルから一定距離（例えば５０ｃｍ）以内のエリアとする。もちろん、識別エリアは、車室外において運転席用ドアのドアハンドルから一定距離以内となる領域に限らない。例えば、車室内において運転席を基準とする一定範囲としてもよい。また、運転席付近における車室外と車室内の境界部分に相当するエリアを、識別エリアとして採用してもよい。
【０１２６】
再び図８に戻り、車載機側処理の説明を続ける。ステップＳ１０４において、車両用携帯機２００が識別エリアに存在する場合には、ステップＳ１０４がＹＥＳとなってステップＳ１０５に移る。一方、車両用携帯機２００が識別エリアに存在しない場合には、ステップＳ１０４がＮＯとなってステップＳ１０１に戻る。
【０１２７】
ステップＳ１０５では送信処理部Ｆ１が、ＬＦ制御部１０５を介して所定のＬＦアンテナ部１０４から指示信号を送信させてステップＳ１０６に移る。なお、指示信号を送信させるＬＦアンテナ部１０４は、全てのＬＦアンテナ部１０４から順に送信させてもよいし、ステップＳ１０２において応答信号が得られた位置特定用信号を送信したＬＦアンテナ部１０４としてもよい。
【０１２８】
ステップＳ１０６では、車両用携帯機２００から送信されるドライバ情報を受信してステップＳ１０７に移る。ステップＳ１０７では、ドライバ情報としての端末ＩＤと、記憶部１０１Ｍに格納されているユーザ管理データに基づいて、ドライバとしての役割を担うユーザを特定する。つまり、ユーザ管理データを参照し、ドライバ情報としての端末ＩＤと対応付けられているユーザをドライバとして認識する。
【０１２９】
ステップＳ１０８ではドライバ設定反映部Ｆ７が、車両Ｖの車内環境などを、ステップＳ１０７で特定したドライバの好みに応じた環境となるように設定変更して、本フローを終了する。
【０１３０】
次に、図１２に示すフローチャートを用いて、携帯機側処理について説明する。なお、本フロー開始時点において、近距離通信部２３０は低消費電力モードとなっているものとする。
【０１３１】
まず、ステップＳ２０１では車両用通信処理部Ｇ１が、位置特定用信号を受信したか否かを判定する。位置特定用信号を受信した場合にはステップＳ２０１がＹＥＳとなってステップＳ２０２に移る。一方、位置特定用信号を受信していない場合には、ステップＳ２０１がＮＯとなってステップＳ２０３に移る。
【０１３２】
ステップＳ２０２では、ステップＳ２０１で受信した位置特定用信号に対する応答として、その位置特定用信号の受信信号強度を示す信号強度情報を含む応答信号を返送して、ステップＳ２０１に戻る。
【０１３３】
ステップＳ２０３では、指示信号を受信したか否かを判定する。指示信号を受信した場合にはステップＳ２０３がＹＥＳとなってステップＳ２０４に移る。一方、指示信号を受信していない場合には、ステップＳ２０３がＮＯとなってステップＳ２０１に戻る。
【０１３４】
なお、位置特定信号は車載機１００が備えるＬＦアンテナ部１０４の数だけ送信されてくる。したがって、Ｓ２０２において位置特定用信号を応答した後においても、別のＬＦアンテナ部１０４から送信される位置特定用信号を受信することもある。ステップＳ２０１からステップＳ２０２が連続して実施される場合とは、複数のＬＦアンテナ部１０４から送信される位置特定用信号を順次受信している場合である。
【０１３５】
そして、車載機１００から指示信号が送信された場合には、ステップＳ２０１がＮＯ、かつ、ステップＳ２０３がＹＥＳとなってステップＳ２０４に移る。なお、位置特定用信号も指示信号も受信していない場合は、ステップＳ２０１及びステップＳ２０３の両方がＮＯと判定されて、Ｓ２０１及びＳ２０３のフローを繰り返し実施する。
【０１３６】
ステップＳ２０４では車両用通信処理部Ｇ１が、指示信号を正常に受信できた旨を示す応答信号を返送してステップＳ２０５に移る。ステップＳ２０５では電源管理部Ｇ２が、近距離通信部２３０を低消費電力モードからアクティブモードへと移行させ、ステップＳ２０６に移る。
【０１３７】
ステップＳ２０６では近距離通信処理部Ｇ３がスキャン処理を実施し、自機周辺に存在する携帯端末３００及びその携帯端末３００の受信信号強度を検出する。このステップＳ２０６での処理が完了するとステップＳ２０７へ移る。
【０１３８】
ステップＳ２０７では、ステップＳ２０６でのスキャン処理の結果、最も受信信号強度が高い信号を送信している携帯端末３００を、ドライバ特定として決定し、ステップＳ２０８に移る。ステップＳ２０８では車両用通信処理部Ｇ１が、ステップＳ２０７で決定したドライバ端末に相当する携帯端末３００の端末ＩＤをドライバ情報として含む応答信号を、車載機１００へ送信して本フローを終了する。
【０１３９】
＜本実施形態のまとめ＞
以上の構成では、車載機１００は、車両Ｖに対する車両用携帯機２００の位置を逐次検出し、車両用携帯機２００が所定の識別エリアに存在すると判定した場合には、ドライバ端末を特定するように指示する指示信号を車両用携帯機２００に送信する。
【０１４０】
車両用携帯機２００は、車載機１００からの指示信号を受信すると、スキャン処理を実施し、自機周辺に存在する携帯端末３００を検出するとともに、各携帯端末３００から送信される信号の受信信号強度を取得する。そして、そのスキャン処理の結果、最も受信信号強度が高い携帯端末３００を、ドライバ端末に決定し、その端末ＩＤを車載機１００に返送する。
【０１４１】
ここで、車両用携帯機２００がスキャン処理を実施する場合とは、指示信号を受信した場合であるため、車両用携帯機２００が識別エリアに存在する場合である。上述したように、識別エリアは、ドライバによって携帯される携帯端末３００の受信信号強度が、ドライバ以外のユーザによって携帯される携帯端末３００の受信信号強度よりも高くなると想定されるエリアである。
【０１４２】
つまり、以上のスキャン処理の結果、最も受信信号強度が高い携帯端末３００とは、ドライバ端末である可能性が高い。したがって、上記構成によれば、ドライバ以外のユーザによって携帯されている携帯端末を、ドライバによって携帯されている携帯端末であると誤判定してしまう可能性を抑制することができる。つまり、より精度よく、ドライバによって携帯されている携帯端末を特定することができ、その結果、ドライバをより精度よく特定することできる。
【０１４３】
以上、本発明の実施形態を説明したが、本発明は上述の実施形態に限定されるものではなく、以降に記載する種々の変形例も本発明の技術的範囲に含まれ、さらに、下記以外にも要旨を逸脱しない範囲内で種々変更して実施することができる。
【０１４４】
＜変形例１＞
以上では車両用携帯機２００は、ドライバ情報として携帯端末３００固有の端末ＩＤを送信する態様としたが、これに限らない。車両用携帯機２００は、ドライバ端末の端末ＩＤから、ドライバとしての役割を担うユーザを特定し、そのユーザを示す情報（例えばユーザＩＤ）をドライバ情報として車載機１００に送信する態様としてもよい。つまり、ドライバ特定部Ｆ６に相当する機能は車両用携帯機２００に備えられていても良い。なお、ドライバ端末の端末ＩＤから定まるユーザＩＤも、請求項に記載のドライバ端末関連情報の一例に相当する。
【０１４５】
この変形例１は、例えば、車両用携帯機２００の携帯機側記憶部２１１に、車両Ｖのユーザ毎のユーザＩＤと、そのユーザが保有する携帯端末３００の端末ＩＤとを対応付けたデータ（端末管理データとする）を予め格納しておくことで実現されれば良い。そのような態様において車両用携帯機２００は、ドライバ端末を決定すると、端末管理データを参照し、そのドライバ端末とする携帯端末３００の端末ＩＤと対応付けられているユーザをドライバとして決定する。また、車両用携帯機２００は、ドライバに相当するユーザのユーザＩＤを、ドライバ情報として車載機１００に送信する。このような構成としても、上述した実施形態と同様の効果を奏する。
【０１４６】
＜変形例２＞
また、上述した実施形態では、車載機１００の記憶部１０１Ｍに、ユーザ管理データとして、ユーザ毎の車両設定データを格納しておき、ドライバ設定反映部Ｆ７が、ドライバの車両設定データに従った車両設定となるように各ＥＣＵ（例えばボディＥＣＵ１１０）や電装（ナビゲーションシステム等）に対して指示する態様としたが、これに限らない。
【０１４７】
各ＥＣＵが、そのＥＣＵに関連する範囲におけるユーザ毎の車両設定を記憶しておき、車載機１００は、ドライバとしての役割を担うユーザのユーザＩＤを各ＥＣＵに通知する態様としてもよい。そして、各ＥＣＵが、車載機１００から通知されたユーザＩＤに応じた車両設定を読み出して設定変更を実施する。
【０１４８】
このような態様においても、車両Ｖの設定を、ドライバの好みに応じた設定に自動的に変更させることができる。
【０１４９】
＜変形例３＞
以上では、送信処理部Ｆ１は、携帯機位置が識別エリアに存在すると判定した場合に、指示信号を送信する態様としたが、これに限らない。例えば、送信処理部Ｆ１は、携帯機位置が識別エリアに存在している場合には、さらに、車両情報取得部Ｆ３が取得する車両情報に基づいて、予め定められた場面（識別場面とする）となっているか否かを判定し、識別場面となっていると判定した場合に、指示信号を送信する態様としてもよい。
【０１５０】
ここでの識別場面とは、車両用携帯機２００にとって、ドライバに携帯される携帯端末３００から送信される信号の受信信号強度が、ドライバのユーザによって携帯される携帯端末３００から送信される信号の受信信号強度よりも高くなると想定される場面である。
【０１５１】
具体的には、車両用携帯機２００が運転席用のドア近傍に存在し、かつ、運転席用のドアハンドルに設けられたタッチセンサ１０６がユーザによってタッチされたことを検出した場合に、指示信号を送信する。
【０１５２】
また、車両用携帯機２００が運転席用のドア近傍に存在し、かつ、運転席用のドアが開かれている場合に、指示信号を送信してもよい。ドアが開いているか否かの情報は、ボディＥＣＵ１１０から取得すればよい。
【０１５３】
また、図１３に示すように、車両用携帯機２００が運転席用のドア近傍に存在し、かつ、運転席用のドアＤ１と運転席側後部座席用のドアＤ２が開かれている場合に、指示信号を送信してもよい。
【０１５４】
このように運転席用のドアＤ１と運転席側後部座席用のドアＤ２が開かれている場合には、ユーザＵａとユーザＵｂとの間にドアＤ２が存在する。つまり、車両用携帯機２００と携帯端末３００ｂとの間に、ドアＤ２が存在することになる。
【０１５５】
したがって、車両用携帯機２００が受信する携帯端末３００ｂから送信された信号の受信信号強度は、ドアＤ２によって減衰されて小さくなることが想定される。つまり、図１３に示す状況は、ユーザＵａによって携帯される携帯端末３００ａの受信信号強度が、ユーザＵｂによって携帯される携帯端末３００の受信信号強度よりも高くなりやすい状況と言える。このような状況となっているときにドライバ端末を決定することで、ドライバ端末をより精度よく特定することができる。
【０１５６】
また、送信処理部Ｆ１は、車両用携帯機２００が車室内の運転席近傍に存在し、かつ、運転席にユーザが着座している場合に、指示信号を送信してもよい。運転席にユーザが着座しているか否かはボディＥＣＵ１１０から車両情報取得部Ｆ３が取得する。
【０１５７】
運転席に着座しているユーザとは、ドライバである。また、運転席付近に車両用携帯機２００が存在することから、ドライバは車両用携帯機２００を身につけた状態で運転席に着座していることが想定される。そのような状況においては、ドライバと他のユーザとの距離が確保されるため、車両用携帯機２００において、携帯端末３００ａの受信信号強度が、携帯端末３００ｂの受信信号強度よりも高くなりやすい。したがって、このような状況となっているときにドライバ端末を決定することで、ドライバ端末をより精度よく特定することができる。
【０１５８】
また、送信処理部Ｆ１は、車両用携帯機２００が車室内の運転席近傍に存在し、かつ、エンジン始動ボタン１０７がプッシュされた場合に、指示信号を送信してもよい。この場合も、車両用携帯機２００において、携帯端末３００ａの受信信号強度が、携帯端末３００ｂの受信信号強度よりも高くなりやすく、ドライバ端末をより精度よく特定することができる。
【０１５９】
＜変形例４＞
以上では、指示信号を受信してからスキャン処理を実施し、ドライバ端末を決定するための情報（つまり、各携帯端末３００の受信信号強度）を取得する態様を例示したが、これに限らない。例えば、位置特定信号を受信した時点から近距離通信部２３０をアクティブモードに移行させ、指示信号を受信する前から定期的にスキャン処理を実施しておく態様としてもよい。
【０１６０】
そのような態様によれば、指示信号を受信する直前に実施したスキャン処理の結果から、ドライバ端末を特定することが出来、指示信号の受信に対してより迅速に応答することができる。
【０１６１】
＜変形例５＞
以上では、一回のスキャン処理の結果に基づいて、ドライバ端末を決定する態様を例示したが、これに限らない。指示信号を受信した時点からスキャン処理を複数回実施し、その複数回のスキャン処理の結果に基づいて、ドライバ端末を決定してもよい。
【０１６２】
例えば、複数回のスキャン処理の結果、受信信号強度が最も高い携帯端末３００であると判定された回数が最も多い携帯端末３００をドライバ端末とする。また、複数回のスキャン処理の結果から、携帯端末３００毎に受信信号強度の平均値を算出し、平均値が最も高い携帯端末３００をドライバ端末としてもよい。さらに、平均値でなく、中央値が最も高い携帯端末３００をドライバ端末としてもよい。
【０１６３】
なお、スキャン処理は一定時間間隔で実施するため、この変形例５の態様は、指示信号を受信した時点から、スキャン処理を所定回数実施するために要する時間が経過するまでに、携帯端末３００から受信した信号の受信信号強度に基づいてドライバ端末を決定することに相当する。
【０１６４】
この変形例５の構成によれば、瞬間的な外乱の影響を低減できるため、より精度よくドライバ端末を決定することができる。
【０１６５】
＜変形例６＞
上記変形例５の応用として、変形例４で述べたように、指示信号を受信する前から定期的にスキャン処理を実施している場合には、指示信号を受信する直前に実施した所定回数分のスキャン処理結果に基づいて、ドライバ端末を決定してもよい。つまり、指示信号を受信した時点よりも一定時間前から、指示信号を受信までに実施したスキャン処理の結果に基づいて、ドライバ端末を決定してもよい。
【０１６６】
複数回のスキャン処理の結果から、ドライバ端末を決定する方法は、変形例５と同様である。変形例５と変形例６とは、ドライバ端末を決定するために用いる各携帯端末３００からの受信信号強度を収集する時間帯が相違する。
【０１６７】
この変形例６に構成によれば、変形例４と同様に、指示信号の受信に対してより迅速にドライバ情報を車載機１００に返送することができる。また、変形例５と同様に、複数回のスキャン処理の結果からドライバ端末を特定するため、瞬間的な外乱の影響を低減でき、より精度よくドライバ端末を決定することができる。
【０１６８】
＜変形例７＞
また、変形例５と変形例６を組み合わせて、指示信号を受信した時点の前後一定時間において実施した、複数回のスキャン処理の結果に基づいて、ドライバ端末を決定してもよい。
【０１６９】
＜変形例８＞
送信処理部Ｆ１は、車両用携帯機２００が車両通信範囲に進入してから、エンジンが始動するまでに複数回、指示信号を送信してもよい。つまり、識別エリアは複数箇所設定されていても良い。
【０１７０】
例えば、識別エリアとして、車室外における運転席用ドア付近と、運転席ドア付近における車室内と車室外の境界部分と、車室内における運転席付近の３つのエリアを定義しておく。そして、携帯機位置特定部Ｆ５によって、車両用携帯機２００が各識別エリアに存在すると判定する毎に、指示信号を送信してもよい。
【０１７１】
また、変形例３で例示したように、携帯機位置と車両状態との組み合わせによって、指示信号を送信するか否かを決定する態様においても、車両用携帯機２００が車両通信範囲に進入してからエンジンが始動するまでに複数回、指示信号を送信してもよい。
【０１７２】
車載機１００にとっては、可能な限り早い段階で、ドライバが特定されたほうがドライバに対して提供することができるサービスの種類が増えるため好ましい。たとえば、座席位置を自動調整は、ドライバが運転席に座る前に実施されていることが好ましい。言い換えれば、エンジン始動時にドライバが特定する態様では、その特定の結果を座席位置の自動調整といったサービスには利用しづらい。
【０１７３】
一方、ドライバの特定精度は、エンジンの始動といったイベントに近いほど、高くなることが期待できる。これは、車室外に車両用携帯機２００が存在する場合には、ドライバと他のユーザとが近接している可能性がある一方、エンジン始動時には少なくともドライバの周囲には、運転席と他の座席との間隔に応じた離隔が確保されるためである。
【０１７４】
この変形例８によれば、複数段階で指示信号を送信することで、ドライバ端末（及びドライバ）が複数回特定される。したがって、車載機１００は、ドライバに対して提供するサービスの内容に応じて、どのタイミングでの特定結果を採用するかを使い分けることができる。つまり、比較的早い段階で提供するべきサービスについては初期段階の特定結果に基づいて実施する。一方、提供タイミングとしては比較的遅い段階（例えばエンジン始動の直前やそれ以降）でもよいサービスについては、例えばエンジンの始動操作時などのタイミングで特定された、より精度の良い特定結果に基づいて実施する。なお、ここでのサービスとは、例えば車内環境を、ドライバの好みに応じた環境にすることを指す。
【０１７５】
＜変形例９＞
また、車両用携帯機２００は、操作検出部Ｇ５がユーザによってスイッチ２４０がプッシュ操作されたことを検出した場合に、スキャン処理を実施し、ドライバ端末を特定してもよい。例えば、車両用携帯機２００は、操作検出部Ｇ５がユーザによって、車両Ｖのドアを施錠するためのスイッチ２４０がプッシュ操作されたことを検出した場合に、スキャン処理を実施し、ドライバ端末を特定してもよい。また、車両用携帯機２００に、ドライバ端末を決定するように指示するためのスイッチ２４０が設けられている場合には、そのスイッチ２４０がプッシュ操作されたことを検出した場合に、スキャン処理を実施し、ドライバ端末を特定してもよい。
【０１７６】
このような態様によれば、車載機１００による携帯機位置の特定が正常に特定できず、自動的にはドライバの特定がなされなかった場合にも、ドライバは車両用携帯機２００を操作することでドライバの特定させるための処理を車両用携帯機２００に実施させることができる。
【０１７７】
＜変形例１０＞
車両用携帯機２００は、例えば車両Ｖの駐車位置を携帯機側記憶部２１１に記憶させておき、自機が駐車位置から一定距離以内となった場合には、ドライバ端末を特定するための処理（スキャン処理など）を開始してもよい。駐車位置は、例えば、前回照合信号を実施した時点において、位置情報取得部Ｇ６が取得した位置とすればよく、携帯機側制御部２１０は、その位置情報を駐車位置として携帯機側記憶部２１１に格納しておく。
【０１７８】
その後、位置情報取得部Ｇ６が取得する位置情報から、車両Ｖから自機が離脱したこと（一定距離以上となったこと）を検出した場合には、離脱中である旨を内部状態として保持する。そして、いったん離脱中となった後に、再び駐車位置と自機との距離が一定距離となった場合に、ドライバ端末を特定するための処理を開始する。
【０１７９】
このような態様によれば、車両用携帯機２００が車両通信範囲内となる前からスキャン処理を定期的に実施することができる。その結果、変形例４と同様に、指示信号の受信に対してより迅速にドライバ情報を車載機１００に返送することができる。この変形例１０は、例えば、車両通信範囲が非常に狭く設定されている場合などにおいてより有用となる。
【０１８０】
＜変形例１１＞
車両用携帯機２００は、ドライバ情報に加えて、ドライバ以外の乗員についての情報であるパッセンジャー情報を送信してもよい。具体的には、車両用携帯機２００はドライバ端末を決定すると、自機周辺に存在する携帯端末３００のうち、ドライバ端末以外の携帯端末３００の端末ＩＤを、パッセンジャー情報として車載機１００に送信する。
【０１８１】
もちろん、変形例１で述べたように、携帯機側記憶部２１１に端末管理データが格納されている場合には、端末ＩＤではなく、自機周辺に存在する携帯端末３００のうち、ドライバ端末以外の携帯端末３００の端末ＩＤに対応するユーザＩＤをパッセンジャー情報として送信してもよい。パッセンジャー情報が請求項に記載の非ドライバ端末関連情報に相当する。
【０１８２】
このような態様によれば、車載機１００はドライバ以外の乗員についての情報も取得することができる。そして、車載機１００は、その非運転乗員の情報に基づいて、車両設定を変更することができる。例えば、座席位置の調整や、空調装置からの空気を吹き出させる吹き出し口を選択する事ができる。例えば、ドライバ以外の乗員としてのユーザが複数存在する場合には、助手席と後部座席の両方にも空調装置からの空気を吹き出す態様とすればよい。
【符号の説明】
【０１８３】
１  ユーザ識別システム、１００  車載機、１０１  車両側制御部、１０１Ｍ  記憶部、１０２  ＵＨＦアンテナ部、１０３  ＵＨＦ受信部、１０４  ＬＦアンテナ部、１０５  ＬＦ制御部（１０３・１０５  車載機側通信部）、１０６  タッチセンサ、１０７  エンジン始動ボタン、１１０  ボディＥＣＵ、１２０  エンジンＥＣＵ、１３０  電源ＥＣＵ、２００  車両用携帯機、２１０  携帯機側制御部、２１１  携帯機側記憶部、２２０  車両用通信部（第１通信部）、２２１  ＬＦアンテナ部、２２２  ＬＦ受信部、２２３  ＵＨＦ送信部、２２４  ＵＨＦアンテナ部、２３０  近距離通信部（第２通信部）、２３１  近距離通信用アンテナ部、２３２  近距離通信制御部、２３３  受信信号強度検出部、２４０  スイッチ、２５０  振動センサ、ＧＮＳＳ受信機、３００・３００ａ・３００ｂ  携帯端末、３１０  端末側制御部、３１１  記憶部、３２０  近距離通信部、Ｆ１  送信処理部、Ｆ２  受信処理部、Ｆ３  車両情報取得部、Ｆ４  照合処理部、Ｆ５  携帯機位置特定部、Ｆ６  ドライバ特定部、Ｆ７  ドライバ設定反映部、Ｇ１  車両用通信処理部、Ｇ２  電源管理部、Ｇ３  近距離通信処理部、Ｇ４  ドライバ端末決定部、Ｇ５  操作検出部、Ｇ６  位置情報取得部、Ｇ７  振動情報取得部、Ｖ  車両、Ｕａ・Ｕｂ  ユーザ、Ｄ１・Ｄ２  ドア
【図１】
0006520283.tif 000002
【図２】
0006520283.tif 000003
【図３】
0006520283.tif 000004
【図４】
0006520283.tif 000005
【図５】
0006520283.tif 000006
【図６】
0006520283.tif 000007
【図７】
0006520283.tif 000008
【図８】
0006520283.tif 000009
【図９】
0006520283.tif 000010
【図１０】
0006520283.tif 000011
【図１１】
0006520283.tif 000012
【図１２】
0006520283.tif 000013
【図１３】
0006520283.tif 000014